(57)【特許請求の範囲】
【請求項１】
流体ポートが開口される突き当て面を有するフランジが連結ヘッドに設けられ前記フランジの相互に平行をなす２辺に前記連結ヘッドとの間でクランプ溝を形成するクランプ部を有する第１の流体機器、および流体ポートが開口される突き当て面を有するフランジが連結ヘッドに設けられ前記フランジの４辺に前記連結ヘッドとの間でクランプ溝を形成するクランプ部を有する第２の流体機器のうち同種または異種の２つの流体機器を連結するコネクタであって、
２つの前記流体機器の突き当て面に接触するシール面が両面に形成されるとともに前記流体ポートを連通させる貫通孔が形成されたスペーサ部および当該スペーサ部の一方側に設けられた操作部を備える連結ブロックと、
前記操作部に前記スペーサ部の両面に対応させて設けられ２つの前記流体機器の前記クランプ部の楔面に接触する楔面がそれぞれ形成された舌部と、
前記突き当て面と前記シール面との間に前記貫通孔を囲むように取り付けられるシール材と、
前記舌部に対向し前記クランプ部の楔面に接触する舌部を備え前記連結ブロックの他方側に着脱自在に締結される締結部材と、
前記操作部の端部に設けられ、前記連結ブロックが前記舌部を前記２辺のクランプ溝の一方に挿入させて前記第１の流体機器の前記フランジに装着されるときには前記フランジの２辺に形成されたガイド凹部に挿入され、前記連結ブロックが前記舌部を前記４辺のクランプ溝のいずれかに挿入させて前記第２の流体機器の前記フランジに装着されるときには前記フランジの４辺にそれぞれ形成されたガイド凹部のいずれにも挿入されるガイド突起とを有し、
上下の方向性を有する第１の流体機器に対して第２の流体機器を上下および水平方向のうち任意の方向で連結し得ることを特徴とするコネクタ。
【請求項２】
請求項１記載のコネクタにおいて、前記第１の流体機器の前記フランジの他の２辺に設けられるガイド部と前記連結ヘッドとの間に前記ガイド凹部が形成され、前記連結ブロックが前記第１の流体機器の前記フランジに装着されるときには前記フランジの前記他の２辺に形成された前記ガイド凹部に前記ガイド突起が挿入され、前記連結ブロックが前記第２の流体機器の前記フランジに装着されるときには４辺の前記クランプ溝が前記ガイド突起が挿入される前記ガイド凹部を形成することを特徴とするコネクタ。
【請求項３】
請求項２記載のコネクタにおいて、前記操作部の一端部に設けられる第１のガイド突起は前記第１の流体機器の２辺の前記ガイド凹部の一方に対応した形状であり、前記操作部の他端部に設けられる第２のガイド突起は前記第１の流体機器の２辺の前記ガイド凹部の他方に対応した形状であることを特徴とするコネクタ。
【請求項４】
請求項３記載のコネクタにおいて、前記一方のガイド凹部と前記他方のガイド凹部は相互に長さ寸法が相違し、前記第１のガイド突起は前記一方のガイド凹部に対応した長さを有し、前記第２のガイド突起は前記他方のガイド凹部に対応した長さを有することを特徴とするコネクタ。
【請求項５】
請求項３記載のコネクタにおいて、前記一方のガイド凹部と前記他方のガイド凹部は相互に幅寸法が相違し、前記第１のガイド突起は前記一方のガイド凹部に対応した幅を有し、前記第２のガイド突起は前記他方のガイド凹部に対応した幅を有することを特徴とするコネクタ。
【請求項６】
請求項３〜５のいずれか１項に記載のコネクタにおいて、前記第１のガイド突起に向けて突出し前記第１のガイド突起に対応した形状の第３のガイド突起を前記締結部材の一端部に設け、前記第２のガイド突起に向けて突出し前記第２のガイド突起に対応した形状の第４のガイド突起を前記締結部材の他端部に設けることを特徴とするコネクタ。
【請求項７】
請求項１〜６のいずれか１項に記載のコネクタにおいて、前記第２の流体機器の前記クランプ部の外周部全体にクランプ溝が形成され、前記連結ブロックを前記第２の流体機器の前記フランジに装着するときには４辺の前記クランプ溝のいずれにも前記ガイド突起が挿入されることを特徴とするコネクタ。
【請求項８】
請求項１記載のコネクタにおいて、前記第１の流体機器の前記フランジの前記２辺に前記ガイド凹部が形成され、前記第２の流体機器の前記フランジの４辺に前記ガイド凹部が形成され、前記連結ブロックが前記第１の流体機器の前記フランジに装着されるときには前記フランジの前記２辺に形成された前記ガイド凹部に前記ガイド突起が挿入され、前記連結ブロックが前記第２の流体機器の前記フランジに装着されるときには４辺の前記ガイド凹部のいずれにも前記ガイド突起が挿入されることを特徴とするコネクタ。
【請求項９】
請求項８記載のコネクタにおいて、前記操作部の一端部に設けられる第１のガイド突起は前記第１の流体機器の２辺にそれぞれ形成された２つのガイド凹部の一方に対応した形状であり、前記操作部の他端部に設けられる第２のガイド突起は前記第１の流体機器の２辺にそれぞれ形成された前記２つのガイド凹部の他方に対応した形状であることを特徴とするコネクタ。
【請求項１０】
請求項９記載のコネクタにおいて、前記一方のガイド凹部と前記他方のガイド凹部は相互に長さ寸法が相違し、前記第１のガイド突起は前記一方のガイド凹部に対応した長さを有し、前記第２のガイド突起は前記他方のガイド凹部に対応した長さを有することを特徴とするコネクタ。
【請求項１１】
請求項９記載のコネクタにおいて、前記一方のガイド凹部と前記他方のガイド凹部は相互に断面形状が相違し、前記第１のガイド突起は前記一方のガイド凹部に対応した断面形状を有し、前記第２のガイド突起は前記他方のガイド凹部に対応した断面形状を有することを特徴とするコネクタ。
【請求項１２】
請求項９〜１１のいずれか１項に記載のコネクタにおいて、前記第１のガイド突起に向けて突出し前記第１のガイド突起に対応した形状の第３のガイド突起を前記締結部材の一端部に設け、前記第２のガイド突起に向けて突出し前記第２のガイド突起に対応した形状の第４のガイド突起を前記締結部材の他端部に設けることを特徴とするコネクタ。
【発明の詳細な説明】
【技術分野】
【０００１】
本発明は、フィルタ、レギュレータ、ルブリケータ等の流体機器を相互に取り外し自在に気密状態に連結するコネクタに関する。
【背景技術】
【０００２】
空気圧シリンダ等のように流体エネルギーを機械エネルギーに変換する空気圧アクチュエータには空気圧回路を介して空気圧源からの圧縮空気が供給される。空気圧回路には空気圧源から供給される圧縮空気中の埃や水分を除去するためにフィルタが設けられ、空気圧アクチュエータに供給される圧縮空気の圧力を調整するためにレギュレータが設けられている。さらに、圧縮空気中に霧状の潤滑油を注入して圧縮空気を空気圧アクチュエータに供給する場合には、空気圧回路にはルブリケータが設けられる。
【０００３】
フィルタやレギュレータ等の流体機器は、これらの保守点検を容易にするために、相互に取り外し自在に連結されて調質ユニットとしてユニット化されて空気圧回路に設けられている。流体機器相互を取り外し自在に気密状態に連結するためにコネクタが用いられている。コネクタは、貫通孔とシール面を有しそれぞれの流体機器の流体ポート間に配置される部材と、隣接する流体機器を相互に締結する部材とを有しており、流体機器はコネクタにより気密状態で接合されるとともに貫通孔を介して連通される。このようなコネクタとしては、例えば、特許文献１〜３に記載されている。
【特許文献１】特表平９−５０１７５６号公報
【特許文献２】特許第２７１５０４９号公報
【特許文献３】特許第２９０２３８９号公報
【発明の開示】
【発明が解決しようとする課題】
【０００４】
フィルタは流入側の流体ポートと流出側の流体ポートが設けられた連結ヘッドと、これに組み付けられて空気中から除去した水滴や埃を収容するためのボウルとを有しており、ボウルが連結ヘッドよりも下側となるようにして空気圧回路に取り付けられる。ルブリケータも潤滑油を収容するボウルが下側となるように空気圧回路に取り付けられている。このように、フィルタやルブリケータを設置する際には上下の方向性を持たせる必要があり、フィルタに対してレギュレータを連結する場合には、レギュレータはフィルタに対応させて連結ヘッドよりも弁組立体が下側となるようにフィルタに連結されている。したがって、流体機器のそれぞれの機能部品が下側に揃うようにして調質ユニットは組み立てられている。
【０００５】
しかしながら、調質ユニットの周囲に他の機器が配置される場合には、他の機器と流体機器の機能部品とが干渉することがあり、限られたスペースに多くの機器を配置することができない場合がある。フィルタやレギュレータは機能部品であるボウルが下側となるように設置する必要があり方向性を有しているのに対し、レギュレータは方向性を有しておらず、機能部品である弁組立体が連結ヘッドに対して上側となっても水平方向となってもその機能を果たすことができる。同様に、残圧排気弁も上下の方向を有していない。
【０００６】
方向性を有していない流体機器を方向性を有する流体機器に対して複数の姿勢のうちいずれかの姿勢で連結することができれば、限られたスペースに他の機器を配置することができる。
【０００７】
本発明の目的は、方向性を持つ流体機器に対して方向性を持たない流体機器を任意の姿勢で連結し得るコネクタを提供することにある。
【課題を解決するための手段】
【０００８】
本発明のコネクタは、流体ポートが開口される突き当て面を有するフランジが連結ヘッドに設けられ前記フランジの相互に平行をなす２辺に前記連結ヘッドとの間でクランプ溝を形成するクランプ部を有する第１の流体機器、および流体ポートが開口される突き当て面を有するフランジが連結ヘッドに設けられ前記フランジの４辺に前記連結ヘッドとの間でクランプ溝を形成するクランプ部を有する第２の流体機器のうち同種または異種の２つの流体機器を連結するコネクタであって、２つの前記流体機器の突き当て面に接触するシール面が両面に形成されるとともに前記流体ポートを連通させる貫通孔が形成されたスペーサ部および当該スペーサ部の一方側に設けられた操作部を備える連結ブロックと、前記操作部に前記スペーサ部の両面に対応させて設けられ２つの前記流体機器の前記クランプ部の楔面に接触する楔面がそれぞれ形成された舌部と、前記突き当て面と前記シール面との間に前記貫通孔を囲むように取り付けられるシール材と、前記舌部に対向し前記クランプ部の楔面に接触する舌部を備え前記連結ブロックの他方側に着脱自在に締結される締結部材と、前記操作部の端部に設けられ、前記連結ブロックが前記舌部を前記２辺のクランプ溝の一方に挿入させて前記第１の流体機器の前記フランジに装着されるときには前記フランジの２辺に形成されたガイド凹部に挿入され、前記連結ブロックが前記舌部を前記４辺のクランプ溝のいずれかに挿入させて前記第２の流体機器の前記フランジに装着されるときには前記フランジの４辺にそれぞれ形成されたガイド凹部のいずれにも挿入されるガイド突起とを有し、上下の方向性を有する第１の流体機器に対して第２の流体機器を上下および水平方向のうち任意の方向で連結し得ることを特徴とする。
【０００９】
本発明のコネクタは、前記第１の流体機器の前記フランジの他の２辺に設けられるガイド部と前記連結ヘッドとの間に前記ガイド凹部が形成され、前記連結ブロックが前記第１の流体機器の前記フランジに装着されるときには前記フランジの前記他の２辺に形成された前記ガイド凹部に前記ガイド突起が挿入され、前記連結ブロックが前記第２の流体機器の前記フランジに装着されるときには４辺の前記クランプ溝が前記ガイド突起が挿入される前記ガイド凹部を形成することを特徴とする。
【００１０】
本発明のコネクタは、前記操作部の一端部に設けられる第１のガイド突起は前記第１の流体機器の２辺の前記ガイド凹部の一方に対応した形状であり、前記操作部の他端部に設けられる第２のガイド突起は前記第１の流体機器の２辺の前記ガイド凹部の他方に対応した形状であることを特徴とする。
【００１１】
本発明のコネクタは、前記一方のガイド凹部と前記他方のガイド凹部は相互に長さ寸法が相違し、前記第１のガイド突起は前記一方のガイド凹部に対応した長さを有し、前記第２のガイド突起は前記他方のガイド凹部に対応した長さを有することを特徴とする。
【００１２】
本発明のコネクタは、前記一方のガイド凹部と前記他方のガイド凹部は相互に幅寸法が相違し、前記第１のガイド突起は前記一方のガイド凹部に対応した幅を有し、前記第２のガイド突起は前記他方のガイド凹部に対応した幅を有することを特徴とする。
【００１３】
本発明のコネクタは、前記第１のガイド突起に向けて突出し前記第１のガイド突起に対応した形状の第３のガイド突起を前記締結部材の一端部に設け、前記第２のガイド突起に向けて突出し前記第２のガイド突起に対応した形状の第４のガイド突起を前記締結部材の他端部に設けることを特徴とする。
【００１４】
本発明のコネクタは、前記第２の流体機器の前記クランプ部の外周部全体にクランプ溝が形成され、前記連結ブロックを前記第２の流体機器の前記フランジに装着するときには４辺の前記クランプ溝のいずれにも前記ガイド突起が挿入されることを特徴とする。
【００１５】
本発明のコネクタは、前記第１の流体機器の前記フランジの前記２辺に前記ガイド凹部が形成され、前記第２の流体機器の前記フランジの４辺に前記ガイド凹部が形成され、前記連結ブロックが前記第１の流体機器の前記フランジに装着されるときには前記フランジの前記２辺に形成された前記ガイド凹部に前記ガイド突起が挿入され、前記連結ブロックが前記第２の流体機器の前記フランジに装着されるときには４辺の前記ガイド凹部のいずれにも前記ガイド突起が挿入されることを特徴とする。
【００１６】
本発明のコネクタは、前記操作部の一端部に設けられる第１のガイド突起は前記第１の流体機器の２辺にそれぞれ形成された２つのガイド凹部の一方に対応した形状であり、前記操作部の他端部に設けられる第２のガイド突起は前記第１の流体機器の２辺にそれぞれ形成された前記２つのガイド凹部の他方に対応した形状であることを特徴とする。
【００１７】
本発明のコネクタは、前記一方のガイド凹部と前記他方のガイド凹部は相互に長さ寸法が相違し、前記第１のガイド突起は前記一方のガイド凹部に対応した長さを有し、前記第２のガイド突起は前記他方のガイド凹部に対応した長さを有することを特徴とする。
【００１８】
本発明のコネクタは、前記一方のガイド凹部と前記他方のガイド凹部は相互に断面形状が相違し、前記第１のガイド突起は前記一方のガイド凹部に対応した断面形状を有し、前記第２のガイド突起は前記他方のガイド凹部に対応した断面形状を有することを特徴とする。
【００１９】
本発明のコネクタは、前記第１のガイド突起に向けて突出し前記第１のガイド突起に対応した形状の第３のガイド突起を前記締結部材の一端部に設け、前記第２のガイド突起に向けて突出し前記第２のガイド突起に対応した形状の第４のガイド突起を前記締結部材の他端部に設けることを特徴とする。
【発明の効果】
【００２０】
本発明のコネクタによれば、上下の方向性を有する第１の流体機器のフランジの２辺にはガイド溝が設けられており、２辺のガイド溝は相互に形状が相違している。上下の方向性を有しない第２の流体機器のフランジの４辺にはクランプ溝が設けられている。２つの流体機器を連結するコネクタは、第１の流体機器の２辺のフランジのガイド溝の一方に挿入され、第２の流体機器の４辺のクランプ溝のいずれにも挿入されるガイド突起を有している。これにより、上下の方向性を有しない第２の流体機器を上下いずれかの姿勢、または左右いずれかの姿勢として、他の流体機器に対して連結することができる。
【００２１】
したがって、第１の流体機器に隣接させて第２の流体機器を連結する際に、第１の流体機器の周囲に設ける必要がある周囲のスペースに応じて第２の流体機器の姿勢を設定することにより、周囲のスペースに他の機器を配置することが可能となり、このスペースを有効に活用することができる。
【００２２】
本発明のコネクタによれば、第１の流体機器と第２の流体機器とを連結することができるだけでなく、２つの第１の流体機器または２つの第２の流体機器を相互に連結することができる。それぞれの流体機器の順序も任意の順序として連結することができる。
【発明を実施するための最良の形態】
【００２３】
以下、本発明の実施の形態を図面に基づいて詳細に説明する。図１は本発明の一実施の形態であるコネクタが装着された調質ユニットを示す斜視図である。図１に示す調質ユニットは、フィルタ１０、レギュレータ１１およびルブリケータ１２の３つの流体機器を有している。空気圧源から供給された圧縮空気はフィルタ１０に流入し、フィルタ１０の持つ遠心分離作用およびろ過作用により圧縮空気中に微細な水滴となって含まれる水分が取り除かれる。フィルタ１０から減圧弁であるレギュレータ１１に流入した圧縮空気は、入口側圧力よりも低い所定の設定圧力に減圧されルブリケータ１２に案内される。ルブリケータ１２では空気流量に応じて潤滑油が霧状になって圧縮空気中に混入され、空気圧アクチュエータの可動部分に潤滑油が供給される。
【００２４】
フィルタ１０はコネクタ１３によりレギュレータ１１に連結されるほぼ立方体形状の連結ヘッド１４を有し、連結ヘッド１４の下側にはボウル１５が取り付けられるとともに図示しないフィルタエレメントが取り付けられている。フィルタ１０に流入した圧縮空気中の水分はボウル１５内に貯留され、異物はフィルタエレメントにより除去される。ボウル１５の外側にはこれを覆うようにボウルガード１５ａが装着されている。ルブリケータ１２も同様にほぼ立方体の連結ヘッド１６を有し、連結ヘッド１６の下側には潤滑油を収容するボウル１７が取り付けられており、圧縮空気中には潤滑油がミスト状に供給される。ボウル１７の外側にはこれを覆うようにボウルガード１７ａが装着されている。これらフィルタ１０とルブリケータ１２は、それぞれボウル１５，１７を下側にして配置する必要があり、上下の方向性を有する第１の流体機器となっている。
【００２５】
一方、レギュレータ１１はほぼ立方体形状の連結ヘッド１８を有し、この連結ヘッド１８内にはフィルタ１０を通過して清浄化された圧縮空気の圧力を調整する弁機構が組み込まれている。連結ヘッド１８には図において下方に延びるハンドル１９が設けられ、ハンドル１９により出口側圧力の設定圧力が調節される。レギュレータ１１は、ハンドル１９を上側や水平方向にして配置しても良く、上下および水平任意の方向性を有しており、方向性を有さない第２の流体機器となっている。
【００２６】
フィルタ１０とレギュレータ１１はそれぞれの連結ヘッド１４，１８の部分でコネクタ１３により取り外し自在に気密状態に連結され、レギュレータ１１とルブリケータ１２も同様にコネクタ１３により連結される。
【００２７】
図２は図１に示されたフィルタ、レギュレータおよびコネクタを示す分解斜視図であり、図３は図１における３−３線断面図であり、図４は図１における４−４線断面図であり、図５はフィルタの図２における矢印５方向からの側面図であり、図６はレギュレータの図２における矢印６方向からの側面図であり、図７はコネクタの図２における矢印７方向からの側面図である。図８（Ａ）は図１における８Ａ−８Ａ線断面図であり、図８（Ｂ）は図１における８Ｂ−８Ｂ線断面図である。
【００２８】
フィルタ１０の連結ヘッド１４の相互に反対側の両側面には、それぞれ突き当て面２０を有するフランジ２１，２２が設けられている。図１および図２に示されるように、一方のフランジ２１の突き当て面２０には流入側の流体ポート２３ａが開口し、反対側の突き当て面２０には図３に示されるように流出側の流体ポート２３ｂが開口している。これにより、流体ポート２３ａから流入した圧縮空気はフィルタエレメントにより異物が除去されるとともに水分が除去されて流出側の流体ポート２３ｂから流出する。
【００２９】
それぞれのフランジ２１，２２はほぼ正方形となっており、それぞれのフランジ２１，２２のうち縦方向を向くとともに相互に平行となった２辺にはクランプ部２４が設けられ、クランプ部２４と連結ヘッド１４との間にはクランプ溝２５が形成されている。フランジ２１，２２の上辺の両端部にはガイド部２６が設けられ、下辺の両端部にはガイド部２７が設けられている。ガイド部２６と連結ヘッド１４との間にはガイド溝２８が形成され、ガイド部２７と連結ヘッド１４との間にはガイド溝２９が形成されている。ガイド溝２８は第１のガイド凹部であり、ガイド溝２９は第２のガイド凹部である。
【００３０】
図５に示されるように上辺のガイド溝２８は寸法Ｌ１の長さに設定され、下辺のガイド溝２９は寸法Ｌ２の長さに設定されており、上下のガイド溝２８，２９は長さ寸法が相互に相違しており、相互に形状が相違している。ガイド部２６の中央部分は連結ヘッド１４の突起部１４ａに連なっており、突起部１４ａによりガイド溝２８の底面が形成されている。同様に、突起部１４ｂによりガイド溝２９の底面が形成されている。
【００３１】
このように、上下の方向性を有するフィルタ１０の連結ヘッド１４には、上下で長さ寸法が相違したガイド溝２８，２９が設けられている。図１に示されるルブリケータ１２も上述のように上下の方向性を有しているので、その連結ヘッド１６には、フィルタ１０と同様の形状となったフランジ２１，２２が設けられている。
【００３２】
レギュレータ１１の連結ヘッド１８の相互に反対側の両側面には、突き当て面３０を有するフランジ３１，３２が設けられている。図２に示されるように、一方のフランジ３１の突き当て面３０には流入側の流体ポート３３ａが開口し、反対側の突き当て面３０には図６に示されるように流出側の流体ポート３３ｂが開口している。これにより、流体ポート３３ａから流入した圧縮空気は圧力が調整されて流出側の流体ポート３３ｂから流出する。
【００３３】
それぞれのフランジ３１，３２はほぼ正方形となっており、各辺の寸法Ｌはフランジ２１，２２の各辺の寸法とほぼ同一寸法となっている。フランジ３１，３２の４辺にはクランプ部３４が設けられ、クランプ部３４と連結ヘッド１８との間にはクランプ溝３５が設けられている。このように、上下に方向性を有していないレギュレータ１１の連結ヘッド１８には上下左右対称形状となったフランジ３１，３２が設けられ、フランジ３１，３２の外周面全体にクランプ溝３５が設けられている。
【００３４】
フィルタ１０のクランプ部２４の内面には、図３に示されるように、クランプ部２４の外側から内側に向けて連結ヘッド１４に向かうように傾斜した楔面３６が形成されている。フィルタ１０のガイド部２６，２７の内面には、図４に示されるように、楔面３６と同様の方向に傾斜したガイド面３７が形成されている。レギュレータ１１のクランプ部３４の内面には、図３および図４に示されるように、クランプ部３４の外側から内側に向かうに従って連結ヘッド１８に向かうように傾斜した楔面３８が形成されている。
【００３５】
コネクタ１３は図２に示されるように連結ブロック４１を有している。連結ブロック４１はフィルタ１０の突き当て面２０と、レギュレータ１１の突き当て面３０とにそれぞれ接触するシール面４２が両面に形成されたスペーサ部４３を有し、スペーサ部４３はフランジ２２，３１に対応したサイズとなっている。スペーサ部４３にはフィルタ１０の流体ポート２３ｂとレギュレータ１１の流体ポート３３ａとを連通させる貫通孔４４が形成されている。
【００３６】
図２〜図４に示すように、それぞれのシール面４２には貫通孔４４を囲むように同心円状のシール溝４５が形成され、シール溝４５にはそれぞれのシール面４２と突き当て面２０，３０との間をシールするシール材４６が装着される。これにより、それぞれの流体ポート２３ｂ，３３ａは貫通孔４４に対して気密状態で連通される。
【００３７】
連結ブロック４１はスペーサ部４３の１つの辺に沿って伸びるとともにスペーサ部４３と一体となった操作部４７を有している。操作部４７はスペーサ部４３の厚みよりも大きく、連結ヘッド１４，１８の相互間に入り込む厚み寸法となっている。図２に示すように、連結ブロック４１には操作部４７から突出するブラケット４８が一体に設けられ、ブラケット４８には取付孔４９が形成されている。ブラケット４８は操作部４７に対して下側に設けられており、連結ブロック４１はフィルタ１０に対してはブラケット４８が下側となるようにして取り付けられる。このように、連結ブロック４１は上下の方向性を有し、取付孔４９に取り付けられるボルト等の締結部材によって図示しない所定の据え付け位置に固定されるようになっている。
【００３８】
このように、コネクタ１３はフィルタ１０とレギュレータ１１とを連結する機能を有するとともに、これらを据え付け位置に固定する機能を有している。なお、ブラケット４８を操作部４７に対して上側に一体に設けるようにしても良く、その場合にはブラケット４８が上側となるようにしてフィルタ１０に取り付けられることになる。ただし、コネクタ１３にフィルタ１０とレギュレータ１１とを連結する機能のみを持たせるのであれば、ブラケット４８は不要となる。
【００３９】
操作部４７にはスペーサ部４３の両面に対応させて舌部５１が設けられており、それぞれの舌部５１はスペーサ部４３の反対側の辺に向けて突出している。それぞれの舌部５１には、クランプ部２４の楔面３６とクランプ部３４の楔面３８との一方に選択的に接触する楔面５２が形成されている。
【００４０】
操作部４７の上下両端部にはスペーサ部４３の両面に対応させてガイド突起５３，５４が設けられており、それぞれのガイド突起５３，５４は舌部５１と平行となって操作部４７から突出している。ガイド突起５３は第１のガイド突起であり、ガイド突起５４は第２のガイド突起である。それぞれのガイド突起５３，５４にはガイド面３７と楔面３８との一方に選択的に接触する傾斜したガイド面５５が形成されている。上方のガイド突起５３は、それぞれフィルタ１０のガイド溝２８に対応した長さＬ１を有し、下方のガイド突起５４はそれぞれフィルタ１０のガイド溝２９に対応した長さＬ２を有している。したがって、連結ブロック４１はフィルタ１０に対してブラケット４８が下側となるように装着される。これに対し、レギュレータ１１にはガイド突起が挿入されるガイド凹部を形成するクランプ溝３５がフランジ３１の全周に設けられているので、レギュレータ１１はハンドル１９を図２において下向き、上向き、右向きおよび左向きのいずれの向きとなるようにしても連結ブロック４１に対して装着される。
【００４１】
連結ブロック４１にはこれに対して着脱自在に締結部材５７が装着されるようになっている。締結部材５７は操作部４７に対応した幅と長さを有し、連結ブロック４１のスペーサ部４３の端面に形成されたねじ孔５８にねじ結合される六角穴付きボルト５９が取り付けられる取付孔６０が締結部材５７に形成されている。ボルト５９により締結部材５７は連結ブロック４１に締結される。締結部材５７の内面にはそれぞれの舌部５１に対応する舌部６１が突出して設けられている。それぞれの舌部６１には、クランプ部２４の楔面３６とクランプ部３４の楔面３８との一方に選択的に接触する楔面６２が形成されている。
【００４２】
締結部材５７の上下両端部にはスペーサ部４３の両面に対応させてガイド突起６３，６４が設けられており、それぞれのガイド突起６３，６４は舌部６１と平行となって締結部材５７の内面から突出している。それぞれのガイド突起６３，６４にはガイド面３７、楔面３８に接触する傾斜したガイド面６５が形成されている。ガイド突起６３は第３のガイド突起であり、ガイド突起６４は第４のガイド突起である。上方のガイド突起６３は、それぞれフィルタ１０のガイド溝２８に対応した長さＬ１を有し、下方のガイド突起６４はそれぞれフィルタ１０のガイド溝２９に対応した長さＬ２を有している。したがって、締結部材５７はフィルタ１０に対して上方のガイド突起６３が上側となるようにして装着される。これに対し、レギュレータ１１はハンドル１９を図２において下向き、上向き、右向きおよび左向きのいずれの向きとなるようにしても締結部材５７に対して装着される。
【００４３】
コネクタ１３によりフィルタ１０とレギュレータ１１とを連結するには、連結ブロック４１に対してフィルタ１０の連結ヘッド１４とレギュレータ１１の連結ヘッド１８とを装着する。このときには、連結ブロック４１のブラケット４８とフィルタ１０のボウル１５とが図２において下側となるようにして、スペーサ部４３の一方面側に沿って伸びる第１のガイド突起としてのガイド突起５３を上側のガイド溝２８に挿入し、第２のガイド突起としてのガイド突起５４を下側のガイド溝２９に挿入する。これにより、舌部５１の楔面５２はクランプ部２４の楔面３６に接触する。一方、レギュレータ１１の４辺のクランプ部３４と連結ヘッド１８との間にガイド凹部を形成するクランプ溝３５がフランジ３１の外周面全体に形成されているので、スペーサ部４３の他方面側に沿って伸びる第１のガイド突起としてのガイド突起５３を上側のクランプ溝３５に挿入し、第２のガイド突起としてのガイド突起５４を下側のクランプ溝３５に挿入する。これにより、舌部５１の楔面５２はクランプ部３４の楔面３８に接触する。
【００４４】
このようにして、フィルタ１０とレギュレータ１１は、連結ブロック４１に対してそれぞれの連結ヘッド１４，１８の部分で装着される。両方のガイド突起５３，５４は、クランプ部３４と連結ヘッド１８との間に形成された４辺のクランプ溝３５のいずれの辺のクランプ溝３５にも挿入されるので、レギュレータ１１の連結ブロック４１に対する装着は、ハンドル１９が下側となる下向き、上側となる上向き、左右いずれかの向きとなる左右向きのいずれかとすることが可能となる。
【００４５】
連結ブロック４１に対して締結部材５７を取り付けるには、締結部材５７の第３のガイド突起としてのガイド突起６３を上側のガイド溝２８に挿入し、第４のガイド突起としてのガイド突起６４を下側のガイド溝２９に挿入する。これにより、舌部６１の楔面６２はクランプ部２４の楔面３６に接触する。一方、他の第３のガイド突起としてのガイド突起６３を上側のクランプ溝３５に挿入し、他の第４のガイド突起としてのガイド突起６４を下側のクランプ溝３５に挿入する。これにより、舌部６１の楔面６２はクランプ部３４の楔面３８に接触する。この状態のもとで、ボルト５９をねじ孔５８にねじ結合することによって、連結ブロック４１と締結部材５７は相互に接近するように締め付けられ、フィルタ１０とレギュレータ１１はコネクタ１３により気密状態となって連結される。
【００４６】
フィルタ１０とレギュレータ１１とからなる調質ユニットを据え付け箇所に取り付ける際には、フィルタ１０とレギュレータ１１とをコネクタ１３により連結した状態のもとでコネクタ１３を据え付け箇所に締結することになる。ただし、予めコネクタ１３を据え付け箇所に締結した状態のもとで、コネクタ１３の連結ブロック４１にフィルタ１０とレギュレータ１１とを組み付けた後に、締結部材５７を連結ブロック４１に取り付けるようにしても良い。いずれの場合においても、フィルタ１０のボウル１５が下側となるようにして調質ユニットは据え付けられる。
【００４７】
図１に示されるように、フィルタ１０とレギュレータ１１とルブリケータ１２とからなる調質ユニットを据え付け箇所に取り付ける際には、さらに他のコネクタ１３によりルブリケータ１２がレギュレータ１１に連結される。図１に示される調質ユニットのフィルタ１０には上流側の配管がコネクタ１３により接続されることになり、その配管の端部にはフランジ２１，２２またはフランジ３１，３２と同一形状のフランジを有する接続ジョイントが設けられている。調質ユニットのルブリケータ１２には下流側の配管がコネクタ１３により接続されることになり、その配管の端部にはフランジ２１，２２またはフランジ３１，３２と同一形状のフランジを有する接続ジョイントが設けられている。同様に、フィルタ１０とレギュレータ１１とからなる調質ユニットには、上流側の配管がコネクタ１３によりフィルタ１０に連結され、下流側の配管がコネクタ１３によりレギュレータ１１に接続される。
【００４８】
図９は上下の方向性を有するフィルタ１０に対して連結ブロック４１と締結部材５７とを上下関係を逆にした状態を示す断面図である。連結ブロック４１のガイド突起５３をガイド溝２９に挿入し、ガイド突起５４をガイド溝２８に挿入すると、連結ブロック４１は長いガイド突起５３が短いガイド溝２９の底面に当接するので、連結ブロック４１を組み付け完了位置まで装着することができなくなる。同様に、締結部材５７のガイド突起６３をガイド溝２９に挿入し、ガイド突起６４をガイド溝２８に挿入すると、締結部材５７を組み付け完了位置まで装着することができなくなる。したがって、作業者がフィルタ１０とコネクタ１３とを相互に上下関係を逆にして組み立てるということが防止される。一方、上下関係の方向性を有していないレギュレータ１１は、上下左右のうちの任意の姿勢でコネクタ１３に取り付けることができる。
【００４９】
図１０はフィルタ１０とルブリケータ１２とをコネクタ１３により連結し、ルブリケータ１２に対して他のコネクタ１３によりレギュレータ１１を連結した調質ユニットを示す。フィルタ１０とルブリケータ１２は、それぞれ上下の方向性を有しており、これらをコネクタ１３に装着すると、それぞれのボウル１５，１７が並ぶようにして連結される。これに対し、レギュレータ１１は上下の方向性を有しておらず、図１０に示すように、レギュレータ１１はハンドル１９が上側となるようにしてコネクタ１３に対して装着することができる。このようにハンドル１９が上側となるように装着すると、レギュレータ１１の下側のスペースを有効に活用してその部分に他の機器を配置することができる。
【００５０】
コネクタ１３は、上下の方向性を有する流体機器と上下の方向性を有しない流体機器とを連結することができるだけでなく、上下の方向性を有する２つの流体機器を相互に連結することができるとともに上下の方向性を有しない２つの流体機器を相互に連結することもできる。
【００５１】
図１１は他の実施形態のコネクタを示す分解斜視図であり、図１２（Ａ），（Ｂ）はそれぞれフィルタの図１１における矢印１２Ａ方向からの側面図および矢印１２Ｂ方向からの正面図であり、図１３（Ａ），（Ｂ）はそれぞれ連結ブロックの図１１における矢印１３Ａ方向からの側面図および矢印１３Ｂ方向からの正面図である。
【００５２】
図１１に示すように、フィルタ１０のフランジ２１，２２はレギュレータ１１のフランジ３１，３２と同様の形状をしており、フランジ２１，２２の上辺のガイド部２６と下辺のガイド部２７とがそれぞれ辺の全長Ｌにわたって設けられている。連結ヘッド１４の上端部には突き当て面２０に向けて水平に突出する突起部６６が設けられており、突起部６６によりガイド溝２８の幅寸法が設定されている。一方、連結ヘッド１８の下端部に一体に設けられて連結ヘッド１８とボウルガード１５ａとを取り付けるための取付リング部６７が突き当て面２０とほぼ同一面の位置に向けて突出しており、取付リング部６７によりガイド溝２９の幅寸法が設定されている。
【００５３】
図１２に示されるように上辺のガイド溝２８は寸法Ｔ１の幅に設定され、下辺のガイド溝２９は寸法Ｔ１よりも小さい寸法Ｔ２の幅に設定されており、上下のガイド溝２８，２９は幅寸法が相互に相違し相互に形状が相違している。このように、上下の方向性を有するフィルタ１０の連結ヘッド１４には、上下で幅寸法が相違したガイド溝２８，２９が設けられている。
【００５４】
上下の方向性を有していないレギュレータ１１の連結ヘッド１８には上下左右対称となったフランジ３１，３２が設けられている。したがって、レギュレータ１１のそれぞれのクランプ溝３５は図２に示されたレギュレータ１１と同様であり、クランプ溝３５の幅寸法は制限されていない。
【００５５】
操作部４７に設けられた上方のガイド突起５３はそれぞれフィルタ１０のガイド溝２８に対応した幅Ｔ１を有し、下方のガイド突起５４はそれぞれフィルタ１０のガイド溝２９に対応した幅Ｔ２を有している。したがって、連結ブロック４１はフィルタ１０に対してブラケット４８が下側となるように装着される。これに対し、レギュレータ１１はクランプ溝３５がそれぞれ幅方向に制限されていないので、ハンドル１９を図１１において下向き、上向き、右向きおよび左向きのいずれの向きとなるようにしても連結ブロック４１に対して装着される。
【００５６】
同様に、締結部材５７に設けられた上方のガイド突起６３はそれぞれフィルタ１０のガイド溝２８に対応した幅Ｔ１を有し、下方のガイド突起６４はそれぞれフィルタ１０のガイド溝２９に対応した幅Ｔ２を有している。したがって、締結部材５７はフィルタ１０に対して上方のガイド突起６３が上側となるようにして装着される。これに対して、レギュレータ１１はハンドル１９を図１１において下向き、上向き、右向きおよび左向きのいずれの向きとなるようにしても締結部材５７に対して装着される。
【００５７】
図１４は上下の方向性を有するフィルタ１０に対して連結ブロック４１を上下関係を逆にした状態を示す正面図である。連結ブロック４１のガイド突起５３をガイド溝２９に挿入し、ガイド突起５４をガイド溝２８に挿入しようとすると、連結ブロック４１は太いガイド突起５３が細いガイド溝２９内に挿入されないので、連結ブロック４１を装着することができない。締結部材５７の場合も同様に、ガイド突起６３がガイド溝２９内に挿入されないので、締結部材５７を装着することができない。したがって、作業者がフィルタ１０とコネクタ１３とを相互に上下関係を逆にして組み立てるということが防止される。一方、上下関係の方向性を有していないレギュレータ１１は、上下左右のうちの任意の姿勢としてコネクタ１３に取り付けることができる。
【００５８】
図１５は他の実施形態のコネクタを示す分解斜視図であり、図１６（Ａ），（Ｂ）はそれぞれフィルタの正面図および側面図であり、図１７（Ａ），（Ｂ）はそれぞれレギュレータの正面図および側面図であり、図１８（Ａ）は連結ブロックおよび締結部材の側面図であり、図１８（Ｂ）は連結ブロックの正面図である。
【００５９】
図１５および図１６に示すように、フィルタ１０の相互に反対側の両側面には、ほぼ正方形の突き当て面２０を有する突出部が設けられており、突出部により突き当て面２０の４辺に対応した４つの締結面を有するフランジ２１，２２が形成されている。それぞれのフランジ２１，２２のうち縦方向をむくとともに相互に平行となった２つの締結面にはクランプ溝２５が形成され、このクランプ溝２５により対応した２辺にクランプ部２４が形成されている。それぞれのクランプ溝２５は締結面の両端にまでは延びておらず長手方向の中央部のみに設けられており、断面円形のガイド孔７０が締結面の上端部に開口してフランジ２１，２２に設けられている。このように、上下の方向性を有するフィルタ１０のフランジ２１，２２には、縦方向をむくとともに相互に平行となった２つの締結面の上端部のみにガイド凹部としてのガイド孔７０が設けられており、フィルタ１０は上下に相違した形状となっている。
【００６０】
図１５および図１７に示すように、レギュレータ１１の相互に反対側の両側面には、突き当て面２０と同様に各辺の寸法Ｍのほぼ正方形の突き当て面３０を有する突出部が設けられており、突出部により突き当て面２０の４辺に対応した４つの締結面を有するフランジ３１，３２が形成されている。それぞれのフランジ３１，３２の４つの締結面にはクランプ溝３５が形成され、このクランプ溝３５により対応した４辺にクランプ部３４が形成されている。それぞれのクランプ溝３５は締結面の両端部にまでは延びておらず長手方向の中央部のみに設けられており、断面円形のガイド孔７２がそれぞれの締結面の両端部に開口してフランジ３１，３２に設けられている。このように、上下の方向性を有していないレギュレータ１１のフランジ３１，３２には、４つの締結面のそれぞれの両端部にガイド凹部としてのガイド孔７２が設けられ、上下左右対称な形状となっている。
【００６１】
図１５および図１８に示すように、連結ブロック４１のスペーサ部４３はフランジ２２，３１に対応して各辺の寸法Ｍのほぼ正方形となっており、操作部４７の上下両側には取付孔４９が形成されたブラケット４８が突出して設けられている。操作部４７の中央部に設けられた舌部５１の上側つまり操作部４７の上端部には、ガイド突起７３がスペーサ部４３の両面に対応させて設けられている。ガイド突起７３は舌部５１と平行となって操作部４７の内面から突出しており、フィルタ１０のガイド孔７０に対応した断面円形状をしている。このように、連結ブロック４１は、ガイド突起７３が操作部４７の上端部のみに設けられ上下に方向性を有しており、フィルタ１０に対してガイド突起７３が上側となるように装着される。これに対し、レギュレータ１１はガイド孔７２が４つの締結面のそれぞれの両端部に設けられているので、ハンドル１９を上下方向および水平方向のいずれの向きとなるようにしても連結ブロック４１に対して装着される。
【００６２】
同様に、締結部材５７の上端部には連結ブロック４１のガイド突起７３に対応した断面円形のガイド突起７５が設けられている。したがって、締結部材５７はフィルタ１０に対してガイド突起７５が上側となるように装着される。これに対し、レギュレータ１１はガイド孔７２が４つの締結面のそれぞれの両端部に設けられているので、ハンドル１９を上下方向および水平方向のいずれの向きとなるようにしても連結ブロック４１に対して装着される。
【００６３】
このように、上下関係を有するフィルタ１０に設けられたガイド孔７０に対応させてコネクタ１３にガイド突起７３，７５を設けたので、フィルタ１０とコネクタ１３の上下関係が一致した場合に限って、ガイド孔７０内にガイド突起７３，７５が挿入されて舌部５１，６１の楔面５２，６２がクランプ部２４の楔面３６に接触する。逆に、フィルタ１０に対してコネクタ１３の上下関係を逆にした状態で装着しようとすると、ガイド突起７３，７５が縦方向をむくとともに相互に平行となった２つの締結面に当接してコネクタ１３を装着することができない。したがって、作業者がフィルタ１０とコネクタ１３とを相互に上下関係を逆にして組み立てることが防止される。
【００６４】
一方、上下関係を有していないレギュレータ１１には４つの締結面のそれぞれの両端部にガイド突起７３，７５を挿入可能なガイド孔７２を設けたので、上下左右の任意の姿勢としてコネクタ１３を装着することができる。なお、フィルタ１０の縦方向をむくとともに相互に平行となった２つの締結面の下端部のみにガイド孔７０を設けるようにするとともに、連結ブロック４１の操作部４７および締結部材５７の下端部のみにガイド突起７３，７５を設けるようにしても良い。
【００６５】
図１９〜図２１に他の実施形態におけるフィルタ、レギュレータおよびコネクタを示す。図１９（Ａ），（Ｂ）はそれぞれフィルタの正面図および側面図であり、図２０（Ａ），（Ｂ）はそれぞれレギュレータの正面図および側面図であり、図２１（Ａ）は連結ブロックおよび締結部材の側面図であり、図２１（Ｂ）は連結ブロックの正面図である。
【００６６】
図１９に示すように、フィルタ１０のフランジ２１，２２は図１６に示すフィルタ１０のフランジ２１，２２とほぼ同様の形状となっている。縦方向をむくとともに相互に平行となった２つの締結面の上端部つまりクランプ溝２５の上側には、長さ寸法Ｍ１の断面円形のガイド孔７０が開口しており、この締結面の下端部つまりクランプ溝２５の下側には、ガイド孔７０よりも長寸となった長さ寸法Ｍ２の断面円形のガイド孔７１が開口している。このように、上下の方向性を有するフィルタ１０のフランジ２１，２２には、縦方向をむくとともに相互に平行となった２つの締結面の上端部および下端部にそれぞれ長さ寸法が相違したガイド孔７０，７１が設けられており、フィルタ１０は上下に相違した形状となっている。ガイド孔７０は第１のガイド凹部であり、ガイド孔７１は第２のガイド凹部である。
【００６７】
図２０に示すように、レギュレータ１１のフランジ３１，３２は図１７に示すレギュレータ１１のフランジ３１，３２とほぼ同様の形状となっている。４つの締結面のそれぞれの両端部には、クランプ溝３５を挟むようにして２つのガイド孔７２が開口しており、ガイド孔７２はガイド孔７１と同様に長さ寸法Ｍ２の断面円形状となっている。このように、上下の方向性を有していないレギュレータ１１のフランジ３１，３２には、４つの締結面のそれぞれの両端部にガイド凹部としてのガイド孔７２が設けられ、上下左右対称な形状となっている。
【００６８】
図２１に示すように、連結ブロック４１のスペーサ部４３は図１８に示す連結ブロック４１とほぼ同様の形状となっており、操作部４７の上端部と下端部には、それぞれスペーサ部４３の両面に対応させてガイド突起７３，７４が設けられている。上側のガイド突起７３はガイド孔７０に対応した長さ寸法Ｍ１の断面円形状をしており、下側のガイド突起７４はガイド孔７１に対応した長さ寸法Ｍ２の断面円形状をしている。このように、連結ブロック４１は、上下に長さ寸法が相違するガイド突起７３，７４がそれぞれ上端部および下端部に設けられ上下に方向性を有しており、フィルタ１０に対してガイド突起７３が上側、ガイド突起７４が下側となるように装着される。これに対し、レギュレータ１１はガイド突起７３，７４のいずれをも挿入可能なガイド孔７２が４つの締結面のそれぞれの両端部に設けられているので、ハンドル１９を上下方向および水平方向のいずれの向きとなるようにしても連結ブロック４１に対して装着される。ガイド突起７３は第１のガイド突起であり、ガイド突起７４は第２のガイド突起である。
【００６９】
同様に、締結部材５７の上端部と下端部にはそれぞれ連結ブロック４１のガイド突起７３，７４に対応した長さ寸法Ｍ１の断面円形のガイド突起７５および長さ寸法Ｍ２の断面円形のガイド突起７６が設けられている。したがって、締結部材５７はフィルタ１０に対してガイド突起７５が上側、ガイド突起７６が下側となるように装着される。これに対し、レギュレータ１１はガイド突起７５，７６のいずれをも挿入可能なガイド孔７２が４つの締結面のそれぞれの両端部に設けられているので、ハンドル１９を上下方向および水平方向のいずれの向きとなるようにしても連結ブロック４１に対して装着される。ガイド突起７５は第３のガイド突起であり、ガイド突起７６は第４のガイド突起である。
【００７０】
このように、上下関係を有するフィルタ１０に設けられたガイド孔７０，７１に対応させてコネクタ１３にガイド突起７３〜７６を設けたので、フィルタ１０とコネクタ１３の上下関係が一致した場合に限って、ガイド孔７０，７１内にガイド突起７３〜７６が挿入されて舌部５１，６１の楔面５２，６２がクランプ部２４の楔面３６に接触する。逆に、フィルタ１０に対してコネクタ１３の上下関係を逆にした状態で装着しようとすると、ガイド突起７４，７６がガイド孔７０に完全に挿入されずコネクタ１３を装着することができない。したがって、作業者がフィルタ１０とコネクタ１３とを相互に上下関係を逆にして組み立てることが防止される。
【００７１】
一方、上下関係を有していないレギュレータ１１には４つの締結面のそれぞれの両端部にガイド突起７３〜７６のいずれをも挿入可能なガイド孔７２を設けたので、上下左右の任意の姿勢としてコネクタ１３を装着することができる。なお、フィルタ１０のガイド孔７０，７１の上下関係を逆にするとともに、コネクタ１３のガイド突起７３，７４およびガイド突起７５，７６の上下関係を逆にするようにしても良い。
【００７２】
図２２〜図２４に他の実施形態におけるフィルタ、レギュレータおよびコネクタを示す。図２２（Ａ），（Ｂ）はそれぞれフィルタの正面図および側面図であり、図２３（Ａ），（Ｂ）はそれぞれレギュレータの正面図および側面図であり、図２４（Ａ）は連結ブロックおよび締結部材の側面図であり、図２４（Ｂ）は連結ブロックの正面図である。
【００７３】
図２２に示すように、フィルタ１０のフランジ２１，２２は図１６に示すフィルタ１０のフランジ２１，２２とほぼ同様の形状となっている。縦方向をむくとともに相互に平行となった２つの締結面の上端部つまりクランプ溝２５の上側には、直径Ｄの断面円形のガイド孔７０が開口しており、この締結面の下端部つまりクランプ溝２５の下側には、１辺の寸法Ｄの断面正方形のガイド孔７１が開口している。このように、上下の方向性を有するフィルタ１０のフランジ２１，２２には、縦方向をむくとともに相互に平行となった２つの締結面の上端部および下端部にそれぞれ断面形状が相違したガイド孔７０，７１が設けられており、フィルタ１０は上下に相違した形状となっている。
【００７４】
図２３に示すように、レギュレータ１１のフランジ３１，３２は図１７に示すレギュレータ１１のフランジ３１，３２とほぼ同様の形状となっている。４つの締結面のそれぞれの両端部にはクランプ溝３５を挟むようにして２つのガイド孔７２が形成されており、ガイド孔７２はガイド孔７１と同様に１辺の寸法Ｄの断面正方形状となっている。このように、上下の方向性を有していないレギュレータ１１のフランジ３１，３２には、４つの締結面のそれぞれの両端部にガイド孔７２が設けられ、上下左右対称な形状となっている。
【００７５】
図２４に示すように、連結ブロック４１のスペーサ部４３は図１８に示す連結ブロック４１とほぼ同様の形状となっており、操作部４７の上端部と下端部には、それぞれスペーサ部４３の両面に対応させてガイド突起７３，７４が設けられている。上側のガイド突起７３はガイド孔７０に対応した直径Ｄの断面円形状をしており、下側のガイド突起７４はガイド孔７１に対応した１辺の寸法Ｄの断面正方形状をしている。このように、連結ブロック４１は、断面形状が相違するガイド突起７３，７４がそれぞれ上端部および下端部に設けられ上下に方向性を有しており、フィルタ１０に対してガイド突起７３が上側、ガイド突起７４が下側となるように装着される。これに対し、レギュレータ１１はガイド突起７３，７４のいずれをも挿入可能なガイド孔７２が４つの締結面のそれぞれの両端部に設けられているので、ハンドル１９を上下方向および水平方向のいずれの向きとなるようにしても連結ブロック４１に対して装着される。
【００７６】
同様に、締結部材５７の上端部と下端部にはそれぞれ連結ブロック４１のガイド突起７３，７４に対応した直径Ｄの断面円形のガイド突起７５および１辺の寸法Ｄの断面正方形のガイド突起７６が設けられている。したがって、締結部材５７はフィルタ１０に対してガイド突起７５が上側、ガイド突起７６が下側となるように装着される。これに対し、レギュレータ１１はガイド突起７５，７６のいずれをも挿入可能なガイド孔７２が４つの締結面のそれぞれの両端部に設けられているので、ハンドル１９を上下方向および水平方向のいずれの向きとなるようにしても連結ブロック４１に対して装着される。
【００７７】
このように、上下関係を有するフィルタ１０に設けられたガイド孔７０，７１に対応させてコネクタ１３にガイド突起７３〜７６を設けたので、フィルタ１０とコネクタ１３の上下関係が一致した場合に限って、ガイド孔７０，７１内にガイド突起７３〜７６が挿入されて舌部５１，６１の楔面５２，６２がクランプ部２４の楔面３６に接触する。逆に、フィルタ１０に対してコネクタ１３の上下関係を逆にした状態で装着しようとすると、ガイド突起７４，７６をガイド孔７０に挿入できずコネクタ１３を装着することができない。したがって、作業者がフィルタ１０とコネクタ１３とを相互に上下関係を逆にして組み立てることが防止される。
【００７８】
一方、上下関係を有していないレギュレータ１１には４つの締結面のそれぞれの両端部にガイド突起７３〜７６のいずれをも挿入可能なガイド孔７２を設けたので、上下左右の任意の姿勢としてコネクタ１３を装着することができる。なお、フィルタ１０のガイド孔７０，７１の上下関係を逆にするとともに、コネクタ１３のガイド突起７３，７４およびガイド突起７５，７６の上下関係を逆にするようにしても良い。
【００７９】
図２５〜図２７に他の実施形態におけるフィルタ、レギュレータおよびコネクタを示す。図２５（Ａ），（Ｂ）はそれぞれフィルタの正面図および側面図であり、図２６（Ａ），（Ｂ）はそれぞれレギュレータの正面図および側面図であり、図２７（Ａ）は連結ブロックおよび締結部材の側面図であり、図２７（Ｂ）は連結ブロックの正面図である。
【００８０】
図２５に示すように、フィルタ１０のフランジ２１，２２は図１６に示すフィルタ１０のフランジ２１，２２とほぼ同様の形状となっている。縦方向をむくとともに相互に平行となった２つの締結面の上端部つまりクランプ溝２５の上側には、直径Ｄ１の断面円形のガイド孔７０が開口しており、この締結面の下端部つまりクランプ溝２５の下側には、ガイド孔７０よりも大径の直径Ｄ２の断面円形のガイド孔７１が開口している。このように、上下の方向性を有するフィルタ１０のフランジ２１，２２には、縦方向をむくとともに相互に平行となった２つの締結面の上端部および下端部にそれぞれ断面形状が相違したガイド孔７０，７１が設けられており、フィルタ１０は上下に相違した形状となっている。
【００８１】
図２６に示すように、レギュレータ１１のフランジ３１，３２は図１７に示すレギュレータ１１のフランジ３１，３２とほぼ同様の形状となっている。４つの締結面のそれぞれの両端部にはクランプ溝３５を挟むようにして２つのガイド孔７２が開口しており、ガイド孔７２はガイド孔７１と同様に直径Ｄ２の断面円形状となっている。このように、上下の方向性を有していないレギュレータ１１のフランジ３１，３２には、４つの締結面のそれぞれの両端部にガイド孔７２が設けられ、上下左右対称な形状となっている。
【００８２】
図２７に示すように、連結ブロック４１のスペーサ部４３は図１８に示す連結ブロック４１とほぼ同様の形状となっており、操作部４７の上端部と下端部には、それぞれスペーサ部４３の両面に対応させてガイド突起７３，７４が設けられている。上側のガイド突起７３はガイド孔７０に対応した直径Ｄ１の断面円形状をしており、下側のガイド突起７４はガイド孔７１に対応した直径Ｄ２の断面円形状をしている。このように、連結ブロック４１は、断面形状が相違するガイド突起７３，７４がそれぞれ上端部および下端部に設けられ上下に方向性を有しており、フィルタ１０に対してガイド突起７３が上側、ガイド突起７４が下側となるように装着される。これに対し、レギュレータ１１はガイド突起７３，７４のいずれをも挿入可能なガイド孔７２が４つの締結面のそれぞれの両端部に設けられているので、ハンドル１９を上下方向および水平方向のいずれの向きとなるようにしても連結ブロック４１に対して装着される。
【００８３】
同様に、締結部材５７の上端部と下端部にはそれぞれ連結ブロック４１のガイド突起７３，７４に対応した直径Ｄ１の断面円形のガイド突起７５および直径Ｄ２の断面円形のガイド突起７６が設けられている。したがって、締結部材５７はフィルタ１０に対してガイド突起７５が上側、ガイド突起７６が下側となるように装着される。これに対し、レギュレータ１１はガイド突起７５，７６のいずれをも挿入可能なガイド孔７２が４つの締結面のそれぞれの両端部に設けられているので、ハンドル１９を上下方向および水平方向のいずれの向きとなるようにしても連結ブロック４１に対して装着される。
【００８４】
このように、上下関係を有するフィルタ１０に設けられたガイド孔７０，７１に対応させてコネクタ１３にガイド突起７３〜７６を設けたので、フィルタ１０とコネクタ１３の上下関係が一致した場合に限って、ガイド孔７０，７１内にガイド突起７３〜７６が挿入されて舌部５１，６１の楔面５２，６２がクランプ部２４の楔面３６に接触する。逆に、フィルタ１０に対してコネクタ１３の上下関係を逆にした状態で装着しようとすると、ガイド突起７４，７６をガイド孔７０に挿入できずコネクタ１３を装着することができない。したがって、作業者がフィルタ１０とコネクタ１３とを相互に上下関係を逆にして組み立てることが防止される。
【００８５】
一方、上下関係を有していないレギュレータ１１には４つの締結面のそれぞれの両端部にガイド突起７３〜７６のいずれをも挿入可能なガイド孔７２を設けたので、上下左右の任意の姿勢としてコネクタ１３を装着することができる。なお、フィルタ１０のガイド孔７０，７１の上下関係を逆にするとともに、コネクタ１３のガイド突起７３，７４およびガイド突起７５，７６の上下関係を逆にするようにしても良い。
【００８６】
本発明は前記実施の形態に限定されるものではなく、その要旨を逸脱しない範囲で種々変更可能である。例えば、フィルタ１０、レギュレータ１１およびルブリケータ１２以外の流体機器を連結するようにしても良く、方向性を有する流体機器にはフィルタ１０やルブリケータ１２と同様のフランジを設けるようにし、方向性を有さない流体機器にはレギュレータ１１と同様のフランジを設けるようにする。方向性を有しない流体機器としては、減圧弁つまりレギュレータ１１以外に残圧排気弁等のような種々の弁がある。また、フィルタ１０とルブリケータ１２の上下のガイド溝２８，２９やガイド孔７０，７１の形状は、相互に相違していれば種々変更可能である。
【図面の簡単な説明】
【００８７】
【図１】本発明の一実施の形態であるコネクタが装着された調質ユニットを示す斜視図である。
【図２】図１に示されたフィルタ、レギュレータおよびコネクタを示す分解斜視図である。
【図３】図１における３−３線断面図である。
【図４】図１における４−４線断面図である。
【図５】フィルタの図２における矢印５方向からの側面図である。
【図６】レギュレータの図２における矢印６方向からの側面図である。
【図７】コネクタの図２における矢印７方向からの側面図である。
【図８】（Ａ）は図１における８Ａ−８Ａ線断面図であり、（Ｂ）は図１における８Ｂ−８Ｂ線断面図である。
【図９】フィルタに対して連結ブロックと締結部材とを上下関係を逆にした状態を示す断面図である。
【図１０】調質ユニットの変形例を示す斜視図である。
【図１１】他の実施形態のコネクタを示す分解斜視図である。
【図１２】（Ａ），（Ｂ）はそれぞれフィルタの図１１における矢印１２Ａ方向からの側面図および矢印１２Ｂ方向からの正面図である。
【図１３】（Ａ），（Ｂ）はそれぞれ連結ブロックの図１１における矢印１３Ａ方向からの側面図および矢印１３Ｂ方向からの正面図である。
【図１４】フィルタに対して図１１に示す連結ブロックを上下関係を逆にした状態を示す正面図である。
【図１５】他の実施形態のコネクタを示す分解斜視図である。
【図１６】（Ａ），（Ｂ）はそれぞれフィルタの正面図および側面図である。
【図１７】（Ａ），（Ｂ）はそれぞれレギュレータの正面図および側面図である。
【図１８】（Ａ）は連結ブロックおよび締結部材の側面図であり、（Ｂ）は連結ブロックの正面図である。
【図１９】（Ａ），（Ｂ）はそれぞれフィルタの正面図および側面図である。
【図２０】（Ａ），（Ｂ）はそれぞれレギュレータの正面図および側面図である。
【図２１】（Ａ）は連結ブロックおよび締結部材の側面図であり、（Ｂ）は連結ブロックの正面図である。
【図２２】（Ａ），（Ｂ）はそれぞれフィルタの正面図および側面図である。
【図２３】（Ａ），（Ｂ）はそれぞれレギュレータの正面図および側面図である。
【図２４】（Ａ）は連結ブロックおよび締結部材の側面図であり、（Ｂ）は連結ブロックの正面図である。
【図２５】（Ａ），（Ｂ）はそれぞれフィルタの正面図および側面図である。
【図２６】（Ａ），（Ｂ）はそれぞれレギュレータの正面図および側面図である。
【図２７】（Ａ）は連結ブロックおよび締結部材の側面図であり、（Ｂ）は連結ブロックの正面図である。
【符号の説明】
【００８８】
１０      フィルタ（第１の流体機器）
１１      レギュレータ（第２の流体機器）
１２      ルブリケータ（第１の流体機器）
１３      コネクタ
１４      連結ヘッド
１５      ボウル
１８      連結ヘッド
１９      ハンドル
２０      突き当て面
２１，２２    フランジ
２３ａ，２３ｂ    流体ポート
２４      クランプ部
２５      クランプ溝（ガイド凹部）
２６，２７    ガイド部
２８，２９    ガイド溝（ガイド凹部）
３０      突き当て面
３１，３２    フランジ
３３ａ，３３ｂ    流体ポート
３４      クランプ部
３５      クランプ溝
３６      楔面
３７      ガイド面
３８      楔面
４１      連結ブロック
４２      シール面
４３      スペーサ部
４４      貫通孔
４６      シール材
４７      操作部
４８      ブラケット
５１      舌部
５２      楔面
５３，５４  ガイド突起
５５      ガイド面
５７      締結部材
６１      舌部
６２      楔面
６３，６４  ガイド突起
６５      ガイド面
６６      突起部
６７      取付リング部
７０，７１  ガイド孔（ガイド凹部）
７２      ガイド孔（ガイド凹部）
７３，７４  ガイド突起
７５，７６  ガイド突起
【図１】
0005017152.tif 000002
【図２】
0005017152.tif 000003
【図３】
0005017152.tif 000004
【図４】
0005017152.tif 000005
【図５】
0005017152.tif 000006
【図６】
0005017152.tif 000007
【図７】
0005017152.tif 000008
【図８】
0005017152.tif 000009
【図９】
0005017152.tif 000010
【図１０】
0005017152.tif 000011
【図１１】
0005017152.tif 000012
【図１２】
0005017152.tif 000013
【図１３】
0005017152.tif 000014
【図１４】
0005017152.tif 000015
【図１５】
0005017152.tif 000016
【図１６】
0005017152.tif 000017
【図１７】
0005017152.tif 000018
【図１８】
0005017152.tif 000019
【図１９】
0005017152.tif 000020
【図２０】
0005017152.tif 000021
【図２１】
0005017152.tif 000022
【図２２】
0005017152.tif 000023
【図２３】
0005017152.tif 000024
【図２４】
0005017152.tif 000025
【図２５】
0005017152.tif 000026
【図２６】
0005017152.tif 000027
【図２７】
0005017152.tif 000028